(57)【特許請求の範囲】
【請求項１】
複数の端末を直接収容するゲートウェイ装置と、前記ゲートウェイ装置と複数の通信回線により接続され、前記複数の端末を収容するコール制御サーバ装置とを備えるコール制御システムであって、
前記コール制御サーバ装置が、
前記端末を直接収容しているゲートウェイ装置を識別する収容情報を記憶する収容端末情報記憶手段と、
前記端末から送信される通信開始を行うための通信要求メッセージを前記複数の通信回線のうち、第１の通信回線を介して受信し、前記受信した通信要求メッセージの数を前記端末毎に集計する通信要求メッセージ数集計手段と、
前記集計した数が予め定められた閾値を越えた場合に、閾値を超えた端末を収容するゲートウェイ装置を前記収容情報より検索し、前記閾値を越えた端末に関する呼を破棄するための規制指示情報を前記検索されたゲートウェイ装置へ前記複数の通信回線のうち、第１の通信回線とは異なる第２の通信回線を介して送信する規制指示情報送信手段と、
を有し、
前記ゲートウェイ装置が、
前記規制指示情報を前記コール制御サーバ装置より受信する規制指示情報受信手段と、
前記規制指示情報受信手段が受信した規制指示情報に基づいて前記閾値を越えた端末に関する呼を破棄する呼規制手段と、
を有する、
ことを特徴とするコール制御システム。
【請求項２】
複数の端末を直接収容し特定の端末に関する呼を破棄する呼規制手段を有するゲートウェイ装置と複数の通信回線により接続され、前記複数の端末を収容するコール制御サーバ装置であって、
前記コール制御サーバ装置が、
前記端末を直接収容しているゲートウェイ装置を識別する収容情報を記憶する収容端末情報記憶手段と、
前記端末から送信される通信開始を行うための通信要求メッセージを前記複数の通信回線のうち、第１の通信回線を介して受信し、前記受信した通信要求メッセージの数を前記端末毎に集計する通信要求メッセージ数集計手段と、
前記集計した数が予め定められた閾値を越えた場合に、閾値を超えた端末を収容するゲートウェイ装置を前記収容情報より検索し、前記閾値を越えた端末に関する呼を破棄するための規制指示情報を前記検索されたゲートウェイ装置へ前記複数の通信回線のうち、第１の通信回線とは異なる第２の通信回線を介して送信する規制指示情報送信手段と、
を有することを特徴とするコール制御サーバ装置。
【請求項３】
複数の端末を直接収容し特定の端末に関する呼を破棄する呼規制手段を有するゲートウェイ装置と複数の通信回線により接続され、前記複数の端末を収容するコール制御サーバ装置において用いられるコール制御サーバ方法であって、
前記コール制御サーバ装置が、
前記端末を直接収容しているゲートウェイ装置を識別する収容情報を記憶し、
前記端末から送信される通信開始を行うための通信要求メッセージを前記複数の通信回線のうち、第１の通信回線を介して受信し、前記受信した通信要求メッセージの数を前記端末毎に集計し、
前記集計した数が予め定められた閾値を越えた場合に、閾値を超えた端末を収容するゲートウェイ装置を前記収容情報より検索し、前記閾値を越えた端末に関する呼を破棄するための規制指示情報を前記検索されたゲートウェイ装置へ前記複数の通信回線のうち、第１の通信回線とは異なる第２の通信回線を介して送信する、
ことを特徴とするコール制御サーバ方法。
【発明の詳細な説明】
【技術分野】
【０００１】
本発明は、端末から通信開始時にコール制御サーバに通信要求メッセージを送ることにより端末間の通信を制御するシステムにおいて、コール制御サーバに対する特定の端末からのＤｏＳ攻撃を防御し、他の端末の通信が阻害されることを防ぐ技術に関する。
【背景技術】
【０００２】
通信開始時に端末からコール制御サーバに通信要求メッセージを送ることにより端末間の通信を制御するシステムにおいては、端末間の通信経路に十分余裕があってもコール制御サーバが輻輳すると端末間の通信ができなくなる。
このようなシステムにおいて、複数の端末、あるいはＳＩＰサーバ（コール制御サーバ）との間でＳＩＰ通信を行う場合に、ＳＩＰメッセージを大量に送りつけることによってコール制御サーバのダウンを誘発させるＤｏＳ攻撃に対しても、コール制御サーバのダウンを発生させずに、ＳＩＰによる通信を提供するためのゲートウェイ装置として、下記のようなゲートウェイ装置がある（特許文献１）。
【０００３】
特許文献１のゲートウェイ装置においては、システムダウンを防ぐため、コール制御サーバと端末の間、あるいは端末と端末の間にゲートウェイ装置を設置し、新規ＳＩＰメッセージを一定比率で無差別に破棄し、セッション継続のためのＳＩＰメッセージ、あるいは、受付済みＳＩＰメッセージの後続通信要求メッセージを受け付ける。
特許文献１による実施の形態を図３に示す。図３では、複数の端未（端末１、２、３と４）聞にＳＩＰアプリケーションレベルゲートウェイとしてゲートウェイ装置５を設置し、ゲートウェイ装置５と各端末はネットワーク（Ｎｌ、Ｎ２、Ｎ３とＮ４）で接続されている。
端末と端末の間でやりとりされるＳＩＰメッセージはゲートウェイ装置５を経由し、ゲートウェイ装置５は新規ＳＩＰメッセージを一定比率で無差別に破棄し、セッション継続のためのＳＩＰメッセージ、あるいは、受付済みＳＩＰメッセージの後続通信要求メッセージを受け付ける。
【０００４】
次に、図３のゲートウェイ装置５の概略構成を示すブロック図を図４に示す。
図４に示すように、特許文献１による実施の形態のゲートウェイ装置５は、ＳＩＰメッセージ送受信機能１０と、受信信号選択機能１１と、システム稼動状況収集機能１２と、アドレス変換機能１３と、Ｆｉｒｅｗａｌｌ制御機能１４とを備える。
ＳＩＰメッセージ送受信機能１０は、複数のＩＰ端末、あるいは、ＳＩＰサーバとの間でＳＩＰ通信を行う。
アドレス変換機能１３は、ＩＰアドレス体系の異なるＩＰ網間でＳＩＰメッセージの送受信を行う場合に、ＳＩＰメッセージ内に記述されたＩＰアドレス情報を送信先のＩＰアドレス体系に応じてＩＰアドレス変換を行う。
Ｆｉｒｅｗａｌｌ制御機能１４は、ＳＩＰメッセージ内に記述されたＲＴＰ（Ｒｅａｌ−ｔｉｍｅ  Ｔｒａｎｓｐｏｒｔ  Ｐｒｏｔｏｃｏｌ）用のＩＰアドレス、ポート番号情報に基づいてファイアウォールの開閉制御を行う。
【０００５】
システム稼動状況収集機能１２は、ゲートウェイの稼動状況を収集する。
受信信号選択機能１１は、ゲートウェイの稼動状況がある一定レベルを超える状態にある場合には、一定の比率で新規のＳＩＰメッセージ（ＩＮＶＩＴＥ、または、ＲＥＧＩＳＴＥＲ）を受付け、その他の新規のＳＩＰメッセージ（ＩＮＶＩＴＥ、または、ＲＥＧＩＳＴＥＲ）は拒否するとともに、セッシヨン継続のための再送ＳＩＰメッセージ（ｒｅ−ＩＮＶＩＴＥ）、あるいは、受付済みＳＩＰメッセージの後続信号（ＡＣＫ、ＢＹＥ等）を受け付ける。また、ゲートウェイの稼動状況がある一定レベル以下の場合には、全ての新規のＳＩＰメッセージを受け付ける。
【０００６】
しかしながら、特許文献１に示されるＳＩＰアプリケーションレベルゲートウェイとしてのゲートウェイ装置５においては、コール制御サーバヘ向かう通信要求メッセージを端末毎に把握せずに一定比率で破棄するため、大量の通信要求メッセージを発している端末からの通信要求メッセージを選択し破棄することができないという問題がある。
そのため、他の端末からの通信要求メッセージも破棄される場合がある。特許文献１による手法では、端末を利用するユーザは、大量に発信した方がつながりやすくなるため、ユーザによる大量の発信を招き、コール制御サーバの負荷および端末とコール制御サーバ間のネットワーク負荷を低減させる効果が低下するという問題がある。
【０００７】
また、ＳＩＰなど、通信制御用のメッセージプロトコルでは、規格上、端末が発信したＳＩＰメッセージに対し、コール制御サーバからまたは宛先端末からの応答が無い場合、端末は再送を試みる。このため、新規ＳＩＰメッセージを一定比率で無差別に破棄する特許文献１による方法では、通信制御メッセージを破棄された端末が再送を試みるため、端末とコール制御サーバ間のネットワーク負荷を低減させる効果が低下するという問題がある。
【特許文献１】特開２００４−３４３５８０号公報
【発明の開示】
【発明が解決しようとする課題】
【０００８】
本発明は、このような事情に鑑みてなされたもので、その目的は、コール制御サーバの処理負荷が処理能力を超過しないようにする輻輳制御において、特定の端末が大量の通信要求メッセージを発することにより他の端末の通信が阻害されることを防ぐコール制御システムを提供することにある。
【課題を解決するための手段】
【０００９】
この発明は上述した課題を解決するためになされたもので、本発明のコール制御システムは、複数の端末を直接収容するゲートウェイ装置と、前記ゲートウェイ装置と複数の通信回線により接続され、前記複数の端末を収容するコール制御サーバ装置とを備えるコール制御システムであって、前記コール制御サーバ装置が、前記端末を直接収容しているゲートウェイ装置を識別する収容情報を記憶する収容端末情報記憶手段と、前記端末から送信される通信開始を行うための通信要求メッセージを前記複数の通信回線のうち、第１の通信回線を介して受信し、前記受信した通信要求メッセージの数を前記端末毎に集計する通信要求メッセージ数集計手段と、前記集計した数が予め定められた閾値を越えた場合に、閾値を超えた端末を収容するゲートウェイ装置を前記収容情報より検索し、前記閾値を越えた端末に関する呼を破棄するための規制指示情報を前記検索されたゲートウェイ装置へ前記複数の通信回線のうち、第１の通信回線とは異なる第２の通信回線を介して送信する規制指示情報送信手段と、を有し、前記ゲートウェイ装置が、前記規制指示情報を前記コール制御サーバ装置より受信する規制指示情報受信手段と、前記規制指示情報受信手段が受信した規制指示情報に基づいて前記閾値を越えた端末に関する呼を破棄する呼規制手段と、を有する、ことを特徴とするコール制御システムである。
【００１０】
また、本発明のコール制御サーバ装置は、複数の端末を直接収容し特定の端末に関する呼を破棄する呼規制手段を有するゲートウェイ装置と複数の通信回線により接続され、前記複数の端末を収容するコール制御サーバ装置であって、前記コール制御サーバ装置が、前記端末を直接収容しているゲートウェイ装置を識別する収容情報を記憶する収容端末情報記憶手段と、前記端末から送信される通信開始を行うための通信要求メッセージを前記複数の通信回線のうち、第１の通信回線を介して受信し、前記受信した通信要求メッセージの数を前記端末毎に集計する通信要求メッセージ数集計手段と、前記集計した数が予め定められた閾値を越えた場合に、閾値を超えた端末を収容するゲートウェイ装置を前記収容情報より検索し、前記閾値を越えた端末に関する呼を破棄するための規制指示情報を前記検索されたゲートウェイ装置へ前記複数の通信回線のうち、第１の通信回線とは異なる第２の通信回線を介して送信する規制指示情報送信手段と、を有することを特徴とするコール制御サーバ装置である。
【００１１】
また、本発明のコール制御サーバ方法は、複数の端末を直接収容し特定の端末に関する呼を破棄する呼規制手段を有するゲートウェイ装置と複数の通信回線により接続され、前記複数の端末を収容するコール制御サーバ装置において用いられるコール制御サーバ方法であって、前記コール制御サーバ装置が、前記端末を直接収容しているゲートウェイ装置を識別する収容情報を記憶し、前記端末から送信される通信開始を行うための通信要求メッセージを前記複数の通信回線のうち、第１の通信回線を介して受信し、前記受信した通信要求メッセージの数を前記端末毎に集計し、前記集計した数が予め定められた閾値を越えた場合に、閾値を超えた端末を収容するゲートウェイ装置を前記収容情報より検索し、前記閾値を越えた端末に関する呼を破棄するための規制指示情報を前記検索されたゲートウェイ装置へ送信する、ことを特徴とするコール制御サーバ方法である。
【発明の効果】
【００１２】
この発明によれば、ＤｏＳ攻撃のようにコール制御サーバヘ向けて大量に通信要求メッセージを発信する端末からの通信要求メッセージを、端末を直接収容するゲートウェイが破棄することにより、コール制御サーバの負荷を抑えることができ、これによりコール制御サーバに対するＤｏＳ攻撃を防御することが可能となり、かつ、他端末の通信は影響を受けないという効果を奏する。
【発明を実施するための最良の形態】
【００１３】
以下、図面を参照して、本発明の実施の形態について説明する。図１は、この発明の一実施の形態によるコール制御システムの構成を示す概略ブロック図である。
まず、本発明の概要について説明する。コール制御サーバ（７）が高負荷になった場合、コール制御サーバ（７）は自己防御のために、大量に発信を行っている端末が発するパケット、および端末宛のパケットを全て破棄させるようにする。その方式として以下を行う。
【００１４】
複数の端末（１、２）を直接収容するゲートウェイ装置（５）と、コール制御サーバ（７）との間に通信機能を付加する。コール制御サーバ（７）は、自身が収容している端末の識別情報と、端末がどのゲートウェイ装置に直接収容されているかを示す収容情報とを収容端末データとして記憶する。また、ゲートウェイ装置（５）は、端末毎に、端末が発信するパケット、および端末へ着信するパケットを全て破棄する機能を持つ。
また複数の端末（３）を直接収容するゲートウェイ装置（６）は、ゲートウェイ装置（５）と接続され、ゲートウェイ装置（５）を経由してコール制御サーバ（７）と通信する。
【００１５】
コール制御サーバ（７）は、コール制御サーバ（７）が収容する全ての端末（１、２、３）において、例えば、端末（１）が発する通信要求メッセージ数を監視し、端末が一定時間内に閾値を越える通信要求メッセージ数を発信した場合、収容端末データを検索し、端末（１）が収容されているゲートウェイ装置（５）を特定し、端末（１）が発するパケットおよび端末（１）宛てのパケットを破棄する規制指示情報を、ゲートウェイ装置（５）へ送信する。規制指示情報を受信したゲートウェイ装置（５）は、端末（１）の発するパケット、および、端末（１）へのパケットを破棄する。
この時、例えば、端末（２）の発するパケットおよび端末（２）へのパケットには、何ら規制が掛けられることがないため、端末２に関する通信には何ら影響が無い。
【００１６】
次に本発明の実施の形態について更に詳細に説明する。本発明では、端末はコール制御サーバが収容し、ゲートウェイ装置が直接収容する。端末はゲートウェイ装置とネットワークで結ばれている。また、ゲートウェイ装置は複数の端末を収容でき、コール制御サーバは複数のゲートウェイ装置を収容することができる。
コール（呼）の制御はコール制御サーバ（７）が行う。コール制御サーバ（７）とゲートウェイ装置（５）は、２つの別々のネットワーク（Ｎ６、Ｎ７）で接続されている。コール制御サーバ（７）とゲートウェイ装置（５）を結ぶネットワーク（Ｎ６、Ｎ７）のうち、１つは通信要求メッセージの伝送に用いられ、１つはゲートウェイ装置（５）とコール制御サーバ（７）の通信に用いられる。ここでは、説明の簡単化のため、ネットワーク（Ｎ６）とネットワーク（Ｎ７）を分離した場合について説明するが、同一のネットワークとして構成することも可能である。
また、コール制御サーバ（７）が有する収容端末データは、端末に関する情報と端末が収容されているゲートウェイ装置に関する情報に加え、端末毎に、端末が過去の一定時間内にコール制御サーバ（７）に発信した通信要求メッセージ数を記憶する。
【００１７】
ゲートウェイ装置同士（５、６）は、ネットワーク（Ｎ５）で接続されている。ＩＰ電話において、コールを制御するのはコール制御サーバ（７）であるので、通信要求メッセージはコール制御サーバ（７）を経由する。しかし、音声・映像データは端末同士で送受信され、例えばネットワーク（Ｎ５）は、端末同士で通信される音声・映像データを伝送する。
【００１８】
次に図１に示した第一の実施の形態の動作を、図２を用いて説明する。
まず、端末（１）がコール制御サーバ（７）宛に通信要求メッセージを発信すると、コール制御サーバ（７）は、収容端末データを参照して、端末（１）からコール制御サーバ（７）宛の過去の一定時間内の通信要求メッセージ数を検索する（ステップＳ２１）。次に、端末（１）が過去の一定時間内に発信した通信要求メッセージ数が、コール制御サーバ（７）に設定されている閾値を超過するか否かの判定を行う（ステップＳ２２）。
ステップＳ２２の判定結果において閾値を超過しない場合（ステップＳ２２でＮＯ）、コール制御サーバ（７）は、端末（１）の発信した通信要求メッセージ数を１つ増加させ、通信要求メッセージを処理し、通信相手端末と接続する（ステップＳ２３）。
ステップＳ２２の判定結果において閾値を超過する場合（ステップＳ２２でＹＥＳ）、コール制御サーバ（７）は、端末（１）の規制が必要と判断し、以下の処理を行う。コール制御サーバ（７）は、収容端末データを参照して、端末（１）が収容されているゲートウェイ装置を検索し、端末（１）が収容されているゲートウェイ装置（５）を特定する（ステップＳ２４）。コール制御サーバ（７）は、特定したゲートウェイ装置（５）に端末（１）の通信に関して規制を指示する規制指示情報を送信する（ステップＳ２５）。
コール制御サーバ（７）より規制指示情報を受信したゲートウェイ装置（５）は、受信した規制指示情報により、端末（１）が発信するＩＰパケットの全て、および、端末（１）宛のＩＰパケットの全てを破棄する（ステップＳ２６）。
【００１９】
なお、ステップＳ２３にて、コール制御サーバ（７）は、端末（１）の発信した通信要求メッセージ数を１つ増加させることにより、端末（１）に関する過去の通信履歴情報を更新し保存したが、これに限られるものではなく、ステップＳ２３にて端末（１）からの通信要求メッセージを受信した時間を通信ログとして記録してもよい。
また、通信要求メッセージを受信した時間を通信ログとして保存しておき、次に、コール制御サーバ（７）がステップＳ２１にて、端末（１）からコール制御サーバ（７）宛の過去の一定時間内の通信要求メッセージ数を検索する時、通信ログより、過去の一定時間内の通信要求メッセージ数をカウントするようにして、通信要求メッセージ数を求めてもよい。
【００２０】
次に、上述した第一の実施の形態について更に詳細に説明する。
図１において、コール制御プロトコルにＳＩＰを用い、音声データの伝送プロトコルにＲＴＰを用い、コール制御サーバ（７）によるゲートウェイ装置（５）の制御にＨ．２４８／Ｍｅｇａｃｏプロトコルを用いる（参照：「ＶｏＩＰファイアウォール制御におけるＨ．２４８／ＭＥＧＡＣＯプロトコルの適応」、ＮＴＴネットワークサービスシステム研究所  山本晋、坂口岳巳、平野美貴、２００１年電子情報通信学会通信ソサイエティ大会．Ｐ６９）。
収容端末データは、コール制御サーバ（７）内の記憶装置に記録されているが、ネットワーク上に設置された記憶装置への記録も可能である。ネットワークＮ１、Ｎ２、Ｎ３、Ｎ５、Ｎ６とＮ７はＩＰネットワークである。コール制御サーバ（７）に設定する閾値は、「過去Ｘ分以内にＹメッセージ数」とする。
端末（１）、端末（２）および端末（３）は、コール制御サーバ（７）に収容されている。端末（１）および端末（２）は、ゲートウェイ装置（５）に直接収容されている。端末（３）は、ゲートウェイ装置（６）に直接収容されている。
【００２１】
ここで、端末（１）が端末（３）へＩＰ電話をかける場合について説明する。
端末（１）は、自身が収容されているコール制御サーバ（７）宛に、端末（３）への接続を求めるＳＩＰメッセージを発信する。コール制御サーバ（７）は、収容端末データを検索し、例えば、そのメッセージは端末（１）が過去Ｘ分以内に発信したＹ十１番目のメッセージとわかる。
次に、コール制御サーバ（７）に設定された閾値は「Ｘ分以内にＹメッセージ数」のため、コール制御サーバ（７）は閾値を超過したと判定し、端末（１）の通信を規制をするため、以下の処理を行う。コール制御サーバ（７）は、収容端末データより、端末（１）が収容されているゲートウェイ装置を検索し、検索の結果、ゲートウェイ装置（５）であると特定する。次に、コール制御サーバ（７）は、Ｈ．２４８／Ｍｅｇａｃｏメッセージにより、端末（１）に関する通信の規制を指示する規制指示情報をゲートウェイ装置（５）に送信する。規制指示情報を受信したゲートウェイ装置（５）は、端末（１）発のＩＰパケット、または、端末（１）宛のＩＰパケットを破棄する。
【００２２】
次に、端末（１）が規制を掛けられている状態で、端末（３）が端末（２）へＩＰ電話をかける場合について説明する。
端末（３）は、自身が収容されているコール制御サーバ（７）宛に、端末（２）への接続を求めるＳＩＰメッセージを発信する。ＳＩＰメッセージを受信したコール制御サーバ（７）は、収容端末データを検索し、例えば、そのメッセージは端末（６）が過去Ｘ分以内に発信したＺ番目のメッセージとわかる。ここで、Ｚ≦Ｙとする。コール制御サーバ（７）に設定された閾値は「Ｘ分以内にＹメッセージ数」のため、コール制御サーバ（７）は閾値を超過しないと判定する。
次に、閾値を超過しないと判定したコール制御サーバ（７）は、端末（２）へＳＩＰメッセージ（ＩＮＶＩＴＥ）を送信する。端末（２）は、コール制御サーバ（７）へ、ＳＩＰメッセージ（２００  ＯＫ）を送信する。コール制御サーバ（７）は、端末（３）へＳＩＰメッセージ（２００  ＯＫ）を送信する。端末（３）は、ＲＴＰを用い、端末（２）と音声データのやりとりを開始する。
【００２３】
このように、端末（２）が発信するＩＰパケット、および端末（２）へ着信するＩＰパケットヘは影響が無いため、ゲートウェイ装置（５）に直接収容されている端末（１）が規制されている状況下においても、端末（３）は端末（２）との通信が可能である。
【００２４】
なお、ゲートウェイ装置（５）は、端末毎に、端末が発信するパケット、および端末へ着信するパケットを全て破棄する機能を持つが、ゲートウェイ装置（５）は規制指示情報を受信した時、受信した規制指示情報より端末を特定する情報を保持し、保持した情報により、端末が発信するパケットおよび端末へ着信するパケットを全て破棄するようにしておいてもよい。
【００２５】
なお、実施の形態においては、ゲートウェイ装置は特定に端末に対する規制として、端末が発信するパケットおよび端末へ着信するパケットを全て破棄するようにしたが、これに限られるものではなく、端末が発信するパケットに対して、一定の比率でパケットの受信を行うようにしてもよい。
【００２６】
なお、上記説明において、ゲートウェイ装置（５）により、ゲートウェイ装置（５）に直接収容されている端末（１）の通信が規制されたが、この規制の解除は、ゲートウェイ装置（５）が端末（１）を規制している時間を計測し、計測した時間が予め定められた一定時間を経過した後に解除するようにしてもよい。
または、コール制御サーバ（７）が、ゲートウェイ装置（５）へ端末（１）に対する規制指示情報を送信してからの時間を計測し、計測した時間が予め定めた一定時間を経過した後に、ゲートウェイ装置（５）へ端末（１）の規制を解除する規制解除情報を、ゲートウェイ装置（５）へ送信する。次に、規制解除情報を受信したゲートウェイ装置（５）が、端末（１）に対する規制を解除するようにしてもよい。
または、ゲートウェイ装置（５）が、端末（１）に関して破棄するＩＰパケットの数を計測しておき、予め定めた一定の時間の間に、破棄したＩＰパケットの数が予め定めてある閾値以下になった場合に、端末（１）の通信の規制を解除するようにしてもよい。
【００２７】
なお、収容端末データは、コール制御サーバ（７）内の記憶装置に記録されていてもよいし、または、ネットワーク上に設置された記憶装置へ記憶されていてもよい。または、データベースに基づくものでもよく、コール制御サーバ（７）内のデータベース装置であってもよいし、または、ネットワーク上に設置されたデータベース装置であってもよい。
【００２８】
なお、収容端末データを保持するコール制御サーバ（７）内の記憶装置またはネットワーク上に設置された記憶装置は、ハードディスク装置や光磁気ディスク装置、フラッシュメモリ等の不揮発性のメモリや、ＲＡＭ（Ｒａｎｄｏｍ  Ａｃｃｅｓｓ  Ｍｅｍｏｒｙ）のような揮発性のメモリ、あるいはこれらの組み合わせにより構成されるものとする。
【００２９】
なお、図１におけるゲートウェイ装置５と６またはコール制御サーバ７は専用のハードウェアにより実現されるものであってもよく、また、メモリおよびＣＰＵ（中央演算装置）により構成され、ゲートウェイ装置５と６またはコール制御サーバ７の機能を実現するためのプログラムをメモリにロードして実行することによりその機能を実現させるものであってもよい。
【００３０】
以上、この発明の実施の形態を図面を参照して詳述してきたが、具体的な構成はこの実施の形態に限られるものではなく、この発明の要旨を逸脱しない範囲の設計等も含まれる。
【産業上の利用可能性】
【００３１】
本発明は、端末から通信開始時にコール制御サーバに通信要求メッセージを送ることにより端末間の通信を制御するシステムに用いて好適である。
【図面の簡単な説明】
【００３２】
【図１】この発明の一実施の形態によるコール制御システムの構成を示すブロック図である。
【図２】図１の一実施の形態においてなされる処理の流れを示す流れ図である。
【図３】従来のコール制御システムの構成を示すブロック図である。
【図４】図３の従来のゲートウェイ装置５の構成を示すブロック図である。
【符号の説明】
【００３３】
１  端末
２  端末
３  端末
４  端末
５  ゲートウェイ装置
６  ゲートウェイ装置
７  コール制御サーバ
【図１】
0004455520.tif 000002
【図２】
0004455520.tif 000003
【図３】
0004455520.tif 000004
【図４】
0004455520.tif 000005